(57)【特許請求の範囲】
【請求項１】
ノーマル電流を検出するノーマル電流監視回路と、リバース電流を検出するリバース電流監視回路と、これらの電流監視回路を監視して回線状態を判定する制御部とを有する通信端末のアナログ公衆網インタフェースにより、アナログ公衆網から着信側端末に送出される相手切断信号を検出する、相手切断信号方式において、
前記着信側端末が前記アナログ公衆網へ応答信号を送出した後、
前記制御部は、前記ノーマル電流監視回路または前記リバース電流監視回路のうち、電流が流れている回路を監視対象回路として選択し、
前記監視対象回路に流れる電流の有無を監視して回線状態の変化を判定することにより前記相手切断信号を検出する
ことを特徴とする相手切断信号方式。
【発明の詳細な説明】
【０００１】
【産業上の利用分野】
本発明は、アナログ公衆網に接続される通信端末のインタフェース回路において、発信側端末が先に切断した場合に、公衆網から着信側端末に送出される相手切断信号を検出するための、相手切断信号方式に関するものである。
【０００２】
【従来の技術】
図２に発信側端末が先に切断して通信を終了する場合の、通信端末とアナログ公衆網（以下、公衆網と記す）との接続動作シーケンスを示す。この場合の通信終了動作について簡単に説明する。
【０００３】
通話状態から発信側端末が先にON-HOOK動作により切断信号を送出すると、公衆網はそれを検出し、通話路を開放し、発信側端末に復旧信号を送出し、発信側端末の回線を空き状態にする。それとともに、発信側端末の切断を着信側端末に伝えるため、着信側端末に相手切断信号を送出する。着信側端末はこの相手切断信号を検出することにより回線の開放動作（ON-HOOK動作）を実行し、公衆網はそれを検出して着信側端末の回線を空き状態にする。
【０００４】
ここで、着信側端末における相手切断信号方式について説明する。相手切断信号の検出を行う通信端末のアナログ公衆網インタフェースを図３に示す。アナログ公衆網インタフェースは直流ループ回路１、ノーマル電流監視回路２、リバース電流監視回路３、制御部４から成り、通信端末とアナログ公衆網はチップ線５及びリング線６により接続されている。なお、アイドル状態において、チップ線５はグランドレベルに設定され、リング線６は例えば−４８Vに設定されており、この状態をノーマル接続と言い、逆の状態をリバース接続と言う。
【０００５】
まず、通信中の着信側端末の回線の電気的状態はノーマル状態になっており、直流ループ回路１にループ電流が流れている。この状態で発信側端末が切断すると、公衆網は着信端末側へ相手切断信号としてリバースパルスを送出する。このとき、回線はノーマル状態からリバース状態へと極性反転し、その後再びノーマル状態に復極する。着信側端末は、制御部４がノーマル電流監視回路２およびリバース電流監視回路３からの電流情報を取り込み、表1の組み合わせにしたがって回線状態を判定することにより、これらの極性の変化を監視し、相手切断信号を検出する。
【０００６】
【表１】
0003673113.tif 000002
【０００７】
このような相手切断信号方式を「リバースパルス方式」と言い、日本ではこの方式を採用している。
【０００８】
また、海外において採用されており、上述とは異なる相手切断信号方式である「給電停止パルス方式」がある。なお、海外では回線のチップ線及びリング線との正常な接続が保証されず、逆に接続された場合にも正常に動作することが求められることがある。この方式では、公衆網は着信端末側へ相手切断信号として給電停止パルスを送出する。このとき、回線は電流が流れている状態から流れていない状態に変化し、その後再び電流が流れる。着信側端末はこの状態を判定することにより、相手切断信号を検出する。つまり、回線の極性によらず、直流電流の有無を監視することにより、相手切断信号を検出する。例えば、図３のアナログ公衆網インタフェースを用いて検出する場合は、制御部４がノーマル電流監視回路２およびリバース電流監視回路３からの電流情報を取り込み、表２の組み合わせにしたがって回線状態を判定することにより、直流電流の有無を監視し、相手切断信号を検出する。
【０００９】
【表２】
0003673113.tif 000003
【００１０】
【発明が解決しようとする課題】
リバースパルス方式と給電停止パルス方式の両方を、図３のアナログ公衆網インターフェースで実現するためには、制御部４において、それぞれ違う処理方法を実行する必要があり、どちらの方式を使用するか設定しなければならなかった。
【００１１】
本発明は、リバースパルス方式と給電停止パルス方式の両方を、同一の回路により、同一の方法で処理できる相手切断信号方式提供するものである。
【００１２】
【課題を解決するための手段】
本発明は、上記の課題を解決するために、ノーマル電流を検出するノーマル電流監視回路と、リバース電流を検出するリバース電流監視回路と、これらの電流監視回路を監視して回線状態を判定する制御部とを有する通信端末のアナログ公衆網インタフェースにより、アナログ公衆網から着信側端末に送出される相手切断信号を検出する、相手切断信号方式において、着信側端末がアナログ公衆網へ応答信号を送出した後、制御部は、前記ノーマル電流監視回路または前記リバース電流監視回路のうち、電流が流れている回路を監視対象回路として選択し、この監視対象回路に流れる電流の有無を監視して回線状態の変化を判定することにより相手切断信号を検出することを特徴とする。
【００１３】
【発明の実施の形態】
図１に相手切断信号の検出シーケンスを示す。ここでは、着信側端末が発信側端末に対して応答動作を行う以降のシーケンスについて説明する。
【００１４】
Ｓ１において、着信側通信端末は公衆網へ応答信号（OFF-HOOK）を送出する。この応答動作により、発信側端末との通話路を形成し、通信状態になる。この状態において、着信側通信端末の回線の電気的状態はノーマル状態となっている。
【００１５】
Ｓ２において、着信側通信端末は、公衆網に応答信号送出後、電流の流れる方向を調べる。制御部４はノーマル電流監視回路２とリバース電流監視回路３の両方の電流情報を監視する。
【００１６】
その結果、ノーマル電流監視回路２に電流が流れている場合は、ノーマル電流監視回路２を監視対象として選択し、リバース電流監視回路３に電流が流れている場合は、リバース電流監視回路３を監視対象として選択する（Ｓ３）。
【００１７】
また、Ｓ２からＳ３の処理においては、制御部４がノーマル電流監視回路２またはリバース電流監視回路３の一方を監視し、監視している方で電流が流れている場合、監視している方を引き続き監視対象として選択し、監視している方で電流が流れていない場合、監視していない方を監視対象として選択してもよい。
【００１８】
電流監視回路を選択した後、制御部４は選択した方の電流監視回路のみを監視する（Ｓ４）。なお、選択した方の電流監視回路には、回線状態が変化するまで電流が流れている。
【００１９】
公衆網が相手切断信号を送出すると、リバースパルス方式では、まず、リバース状態へと極性反転し、回線には逆方向の電流が流れる。このとき、制御部４が選択している電流監視回路には電流が流れなくなるため、制御部４はリバース状態へ変化したことを検出できる（Ｓ５）。
【００２０】
引き続き選択した方の電流監視回路を監視する（Ｓ６）。次に再びノーマル状態へ復極すると、回線にはもとの方向の電流が流れる。このとき、制御部４が選択している電流監視回路に再び電流が流れるため、制御部４はノーマル状態へ変化したことを検出できる（Ｓ７）。
【００２１】
一方給電停止パルス方式では、まず、給電停止状態となり、回線には電流が流れなくなる。このとき、制御部４が選択している電流監視回路には電流が流れなくなるため、制御部４は給電停止状態へ変化したことを検出できる（Ｓ５）。
【００２２】
引き続き選択した方の電流監視回路を監視する（Ｓ６）。次に再びノーマル状態（給電状態）になると、回線にはもとの方向の電流が流れる。このとき、制御部４が選択している電流監視回路には再び電流が流れるため、制御部４はノーマル状態へ変化したことを検出できる（Ｓ７）。
【００２３】
したがって、公衆網から送出される相手切断信号を、リバースパルス方式か給電停止パルス方式かによらず、ノーマル状態からの状態変化として検出することにより、両方式に同じ論理的処理を用いて検出することができる。
【００２４】
相手切断信号の検出後、回線の開放動作（ON-HOOK動作）を実行して公衆網に終話信号を送出し、公衆網はそれを検出して着信側端末の回線を空き状態にすることにより、切断動作を完了する（Ｓ８）。
【００２５】
【発明の効果】
本発明は、以上に説明したように、着信側端末がアナログ公衆網へ応答信号を送出した後、制御部は、前記ノーマル電流監視回路または前記リバース電流監視回路のうち、電流が流れている回路を監視対象回路として選択し、この回路に流れる電流の有無を監視して回線状態の変化を判定することにより前記相手切断信号を検出するものである。
【００２６】
したがって、相手切断信号方式において、リバースパルス方式か給電停止パルス方式かによってそれぞれ違う処理方法を用意して、どちらの方式を使用するか設定をする必要が無くなり、2つの方式を同一の回路により同一の方法で処理できる。
【図面の簡単な説明】
【図１】本発明の相手切断信号検出シーケンスである。
【図２】通信端末とアナログ公衆網との接続シーケンスである。
【図３】アナログ公衆網インタフェースである。
【符号の説明】
１  直流ループ回路
２  ノーマル電流監視回路
３  リバース電流監視回路
４  制御部
５  チップ線
６  リング線
【図１】
0003673113.tif 000004
【図２】
0003673113.tif 000005
【図３】
0003673113.tif 000006